【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
複数の商品充填バッグを一緒に包装するための方法であって、これらバッグは個々で、小片、粒状物又は粉体の形態の商品を収納したものであり、これらバッグは互いに積み重ねられて包装されるものであり、この積層体は長尺の熱接着性プラスチック薄膜包装材料内に嵌挿され、長手方向エッジに沿って接続され、底部および頂部側がそれぞれ溶接継目により閉じられたスリーブを形成するものであり、この方法は以下の工程からなる：すなわち、
ａ）平坦状に横たわる複数のバッグを、上昇並びに移送させるための下方の第１のベルトと、上方の第２のベルトとを有するコンベヤーに沿って前進させる工程と；
ｂ）少なくとも１つの第1のバッグを支持部材上に移送させる工程であって、ここで長尺薄膜包装材料の底上に位置するスリーブを形成するチューブの開口部の一側で該第1のバッグが支持部材上にある状態で移送させる間において、溶接手段に対し横断方向溶接継目により上記底側を閉じる溶接時間が与えられ；
ｃ）バッグに対する工程（ｂ）で底側が溶接された連続的薄膜包装材料をスリーブ形成チューブで溶接により長手方向に閉じスリーブ状物を部分的に形成する工程と；
ｄ）第1のバッグを該支持体上の位置からスリーブ形成チューブの開口部に向けて水平に押出す工程であって、該バッグを該開口部のエッジ部上に支持させる工程と；
ｅ）垂直に押し下げ該第1のバッグと該包装材料とを合同、降下させ、同時にバッグが内側に収納された状態で横方向の側の１つに長手方向の継目を形成させて、該スリーブを閉じる工程と；
ｆ）複数のバッグを最初に水平に押して前記支持体上に連続して供給し、これらをスリーブ形成チューブの開口部に移送させ、ついで、垂直に移送して配列全体を降下させ、所定数のバッグが前記スリーブ内に包装された状態で積み重ねることにより包装を完了させる工程と；
ｇ）該スリーブにより形成され完成させた包装体の薄膜頂部を横切るようにして横断方向に溶接し、この形成された包装体を、次の包装体の包装底部を同時に形成させるようにして切断、分離する工程と；
を具備してなることを特徴とする方法。
【請求項２】
請求項１に記載の方法に適用されるバッグ包装装置であって、該装置が垂直フレーム上に装着されていて、以下の構成、すなわち
同期無端コンベヤーベルト手段であって、上昇、移送させるための下方の第１のベルトと上方の第２のベルトを具備し、これらベルトが平行で重複する異なる面に配置され、これらの面の間に、充填されたバッグを支持部材に向けて移送させる通路を形成させるものと；
薄膜熱接着性プラスチックフィルムのためのフィーダであって、対応するガイドローラと、締付け部材とを有し、上下に積み重ねられた複数のバッグのための包装スリーブを形成するチャンバーに該フィルムを供給するものであり、該チャンバーがショルダー部と、スリーブ形成チューブとを具備してなり、該スリーブが底面を形成する下方の横断方向溶接底面継目から部分的に形成されるようになっているものと；
包装材料の底部および頂部に設けられた水平溶接手段および包装フィルムの積層された長手方向エッジ部を接合するのに使用される垂直溶接手段であって、該水平溶接手段がスリーブ形成チューブの出口の下方に配置され、各包装体の包装の頂部側並びに次の包装体の対応する底側を閉じる横断方向溶接部を形成するために使用される熱クランプを具備してなり、更に形成された包装体を互いに分離する切断機構を備え、該水平封止部材がスリーブのガセットを形成する吹込み手段を有し、該垂直溶接手段が前記支持部材の下でスリーブ形成チューブの上の面に位置する熱クランプの１セットからなり包装部材の長手方向エッジ間に重複するラインと合致するようにしたものと；
該装置が更に、
囲いにより形成されたバッグ取込みボックスであって、その内部に前記コンベヤーにより移送された複数のバッグの水平支持部材と、スリーブ形成チューブ内への導入のための隣接開口部とを有するものと；
前記水平支持部材の表面を摺動する可動プレートをスリーブ形成チューブの開口部に向けて駆動させる水平作動押出し手段と；
前記取込みボックスの上に配置された垂直平作動押出し手段であって、その作動軸が下方に位置するスリーブ形成チューブの軸と同軸となっていて、該垂直平作動押出し手段がその端部にプレートを具備し、該プレートが駆動時にスリーブ形成チューブの開口部上に支持された前記の少なくとも１つのバッグ上に寄りかかり、形成されたスリーブおよびその内容物をスリーブ形成チューブの出口を介して前記水平溶接手段に向けて押込むようになっているものから成る包装装置。
【請求項３】
スナックが充填された複数のバッグを一緒に包装するための方法であって、これらバッグは互いに積み重ねられて包装されるものであり、この積層体は長尺の熱接着性プラスチック薄膜包装材料内に嵌挿され、長手方向エッジに沿って接続され、底部および頂部側がそれぞれ溶接による継目により閉じられたスリーブが形成されるものであり、
ａ）平坦状に横たわる複数のバッグを、水平コンベヤーベルトに沿って、垂直上昇エレベータ車に向けて前進させる工程と；
ｂ）複数のバッグを上昇させる工程であって、これらを個々に水平コンベヤーに向けて押込みものであり、該コンベヤーが該バッグを長尺薄膜包装材料の底部上に位置するスリーブ形成チューブの開口部に搬送させる下方の第１のベルトと、上方の第２のコンベヤーベルトとを具備してなり、それにより溶接手段に対し、横断方向溶接継目により前記底側の閉塞を生じさせる時間を与えるようになっているものと；
ｃ）バッグに対する工程（ｂ）で底側が溶接された連続的薄膜包装材料をスリーブ形成チューブで溶接により長手方向に閉じスリーブ状物を部分的に形成する工程と；
ｄ）積重ねられた少なくとも１つのバッグをスリーブ形成チューブの開口部に移動させる工程と；
ｅ）垂直に押し下げ該第1のバッグと該包装材料とを合同、降下させ、同時にバッグが内側に収納された状態で横方向の側の１つに長手方向の継目を形成させて、該スリーブを閉じる工程と；
ｆ）複数のバッグを連続して供給する工程であって、これらを最初に水平に押して前記支持体上に押出し、これらをスリーブ形成チューブの開口部に移送させ、ついで、垂直に移送して配列全体を降下させ、所定数のバッグが前記スリーブ内に包装された状態で積み重ねることにより包装を完了させる工程と；
ｇ）該スリーブにより形成され完成させた包装体を横断方向に溶接し、この形成された包装体を、次の包装体の包装底部を同時に形成させるようにして切断、分離する工程と；
を具備してなることを特徴とする方法。
【請求項４】
請求項３に記載の方法に適用されるバッグ包装装置であって、該装置が垂直フレーム上に装着されていて、以下の構成：
同期連結コンベヤー手段であって、水平コンベヤーベルトと、垂直上昇エレベータ車と、1セットの水平搬送手段とを具備してなり、この水平搬送手段は下方の第１のベルトと上方の第２のベルトとを具備し、これらベルトが平行で上下に重複する異なる面に配置され、これらのベルト間に、充填されたバッグを支持部材を有するスリーブ形成チューブの開口部に向けて移送させる通路を形成させるものと；
薄膜熱接着性プラスチックフィルムのためのフィーダであって、対応するガイドローラと、締付け部材とを有し、上下に積み重ねられた複数のバッグのための包装スリーブを形成するチャンバーに該フィルムを供給するものであり、該チャンバーがショルダー部と、スリーブ形成チューブとを具備してなり、該スリーブが底面を形成する横断方向溶接底面継目から出発して部分的に形成されるようになっているものと；
包装材料の底部および頂部に設けられた水平溶接手段および薄膜包装材料の積層された長手方向エッジ部を接合するのに使用される垂直溶接手段であって、該水平溶接手段がスリーブ形成チューブの出口の下方に配置され、各包装体の包装の頂部側並びに次の包装体の対応する底側を閉じる横断方向溶接部を形成するために使用される熱クランプを具備してなり、更に形成された包装体を互いに分離する切断機構を備え、該水平溶接手段がスリーブのガセットを形成する吹込み手段を有し、該垂直溶接手段が前記スリーブ形成チューブの開口部の下でスリーブ形成チューブの上の面に位置する熱クランプの１セットからなり包装部材の長手方向エッジ間に重複するラインと合致するものと； 
該装置が更に、
可動プレートを駆動し、前記エレベータ車内の位置から個々のバッグを前記水平コンベヤーベルト機構に向けて押出す水平作動押出し手段と；
囲いにより形成されたバッグ取込みボックスであって、その内部に水平搬送手段により移送されたバッグのスリーブ形成チューブへの導入のための開口部を有するものと；
前記取込みボックスの上に配置された垂直平作動押出し手段であって、その作動軸が下方に位置するスリーブ形成チューブの軸と同軸となっていて、該垂直平作動押出し手段がその端部にプレートを具備し、該プレートが駆動時にスリーブ形成チューブの開口部上に支持された前記の少なくとも１つのバッグ上に寄りかかり、形成されたスリーブおよびその内容物をスリーブ形成チューブの出口を介して前記水平溶接手段に向けて押込むようになっているものと；
前記スリーブ形成チューブの前方、且つ、下方に配置され、形成された包装体を移送させるための出口ベルトと；
を具備してなる包装装置。